(57)【要約】【課題】見栄えを低下させずに前縁板の樋溝の容積を大きく設定できるようにする。【解決手段】庇板２の前端縁に沿って上面開口の樋溝５１を有する前縁板５が装着されている。前記前縁板５は、樋溝５１の溝底５３上に庇板２の前端縁に固定される支持板部５０が樋溝５１の全長にわたって突設されている。溝底５３は支持板部５０より前側の前底部５４ａと支持板部５０の後側の後底部５４ｂとからなる。樋溝５１は支持板部５０により前底部５４ａ上の前溝部５２ａと後底部５４ｂ上の後溝部５２ｂとに区分けされる。支持板部５０の下部位置には前溝部５２ａと後溝部５２ｂとを連通させる連通孔５６が形成されている。【選択図】図６
2015086572.tif 000002
【特許請求の範囲】
【請求項１】
庇板の前端縁に沿って上面開口の樋溝を有する前縁板が装着されて成る庇において、前記前縁板は、樋溝の溝底上に庇板の前端縁に固定される支持板部が樋溝の全長にわたって突設されており、前記溝底は前記支持板部より前側の前底部と支持板部の後側の後底部とからなり、前記樋溝は前記支持板部により前底部上の前溝部と後底部上の後溝部とに区分されるとともに、前記支持板部の下部位置に前溝部と後溝部とを連通させる連通孔が形成されて成る庇。
【請求項２】
前記前縁板は、前記前底部の前端に上向きに一体形成された前板部と、前記後底部の後端に上向きに一体形成された後板部とを備え、前記後板部は上端縁が庇板の下面に達する高さに形成され、前記前板部は上端縁が後板部の上端縁を越える高さに形成されている請求項１に記載された庇。
【請求項３】
前記前縁板は、両側の開放端面がそれぞれ塞ぎ板により塞がれるとともに、前記前溝部に連通する竪樋が連設されている請求項１または２に記載された庇。
【発明の詳細な説明】
【技術分野】
【０００１】
この発明は、建物の外壁面より前方へ張り出すように設けられる庇に関し、この発明は特に、庇板の前端縁に沿って上面開口の樋溝を有する前縁板が取り付けられてなる庇に関する。
【背景技術】
【０００２】
従来、その種の庇として、図８に示すように、押出成形により形成された複数本の中空の板材を幅方向に連ねて庇板９が構成されたものがある。前記庇板９は、幅方向の中間に位置する複数本の中空の板材（以下「中間板材」という。）９１と、両側に位置する２本の中空の板材（以下「側板材」という。）９２，９３とで構成されている。各中間板材９１および側板材９２，９３は、図示していないが、隣の板材と側端面を突き合わせるようにして連結することが可能な連結部をそれぞれ備えている。庇板９の後端部は、建物の外壁面に取り付けられた長手状の保持具１００により全幅にわたって保持されている（例えば、特許文献１参照）。
【０００３】
庇板９の前端縁には前縁板９６が全幅にわたって装着されている。この前縁板９６は、庇板９を構成する全ての中間板材９１および側板材９２，９３の前端面に突き当ててビス止めされる。前縁板９６には全幅にわたる上面開口の樋溝９７が形成されている。樋溝９７は両側端が開放されており、各開放端面を塞ぎ板９８ａ，９８ｂにより塞いでいる。各塞ぎ板９８ａ，９８ｂには樋溝９７内に溜まった雨水を外部へ放出するための開口部９９が設けてある。
【先行技術文献】
【特許文献】
【０００４】
【特許文献１】特許第３８５４６２６号公報
【発明の概要】
【発明が解決しようとする課題】
【０００５】
上記した構成の庇において、庇板９の上面を流下する雨水は、庇板９の前端において前縁板９６の樋溝９７に流れ込む。樋溝９７に溜まった雨水は各塞ぎ板９８ａ，９８ｂの開口部９９より外部へ放出される。しかし、降水量が多い場合、樋溝９７に流れ込んだ雨水は樋溝９７の随所から溢れ出るおそれがある。また、張出し量の大きい庇では、降水量がそれ程でなくても、庇板９の上面を流下する雨水は前端部に近づくにつれて多くなるため、樋溝９７に流れ込んだ雨水が同様に樋溝９７から溢れ出るおそれがある。その種の溢水を防止するには、樋溝９７の溝幅と溝深さの少なくとも一方を大きくして樋溝９７の容積を大きくする必要があるが、樋溝９７の溝幅や溝深さを大きくすると、前縁板９６が庇板９の前端縁より前方へ大きく突き出たり、下方へ大きく出っ張ったりして、前縁板９６の大きさが殊更目立ち、庇の見栄えを低下させる。
【０００６】
この発明は、上記した問題に着目してなされたもので、見栄えを低下させずに前縁板の樋溝の容積を大きく設定できる庇を提供することを目的とする。
【課題を解決するための手段】
【０００７】
この発明による庇は、庇板の前端縁に沿って上面開口の樋溝を有する前縁板が装着されて成るものであって、前記前縁板は、樋溝の溝底上に庇板の前端縁に固定される支持板部が樋溝の全長にわたって突設されている。前記溝底は前記支持板部より前側の前底部と支持板部の後側の後底部とからなり、前記樋溝は前記支持板部により前底部上の前溝部と後底部上の後溝部とに区分けされるとともに、前記支持板部の下部位置に前溝部と後溝部とを連通させる連通孔が形成されている。
【０００８】
上記した構成の庇では、前縁板の前溝部に相当する部分のみが庇板の前端縁より突出し、後溝部に相当する部分は庇板の前端部の下面に位置するので、前縁板が庇板の前端縁より前方へ大きく突き出たり、下方へ大きく出っ張ったりするのが抑えられ、見栄えを低下させずに樋溝の容積を大きく設定できる。庇板の上面を流下する雨水は、庇板の前端において前縁板の樋溝の前溝部に流れ込んで溜まるが、前溝部は支持板部の連通孔を介して後溝部に連通しているので、前溝部に溜まった雨水が連通孔を通って後溝部へ流出し、その流出量だけ前溝部の液面が下がる。その結果、たとえ降水量が多くても、また、庇の張出し量が大きくても、樋溝から雨水が簡単に溢れ出るようなことはない。
【０００９】
この発明の好ましい実施態様においては、前記前縁板は、前記前底部の前端に上向きに一体形成された前板部と前記後底部の後端に上向きに一体形成された後板部とを備えている。前記後板部は上端縁が庇板の下面に達する高さに形成され、前記前板部は上端縁が後板部の上端縁を越える高さに形成されている。
【００１０】
この実施態様によると、雨水の液面が後板部の上端縁に達するまで雨水は前溝部と後溝部とに分かれて溜められるので、雨水が簡単に樋溝から溢れ出ることはない。
【００１１】
この発明の他の好ましい実施態様においては、前記前縁板は、両側の開放端面がそれぞれ塞ぎ板により塞がれるとともに、前記前溝部に連通する竪樋が連設されている。
この実施態様によると、前縁板の前溝部に流入して溜まった雨水は竪樋により外部へ導出されるので、雨水が両側端の塞ぎ板より溢れ出ることはない。
【発明の効果】
【００１２】
この発明によると、前縁板の前溝部に流れ込んで溜まった雨水は連通孔を通って後溝部へ流出されるので、その流出量だけ前溝部の液面が下がる結果、たとえ降水量が多くても、また、庇の張出し量が大きくても、樋溝から雨水が簡単に溢れることがない。また、前縁板の前溝部に相当する部分のみが庇板の前端縁より突出し、後溝部に相当する部分は庇板の前端部の下面に位置するので、前縁板が庇板の前端縁より前方へ大きく突き出たり、下方へ大きく出っ張ったりするのが抑えられ、見栄えを低下させずに樋溝の容積を大きく設定できる。
【図面の簡単な説明】
【００１３】
【図１】この発明の一実施例である庇の中間部分を省略した平面図である。
【図２】図１の庇の側面図である。
【図３】庇板の中間部分を省略した正面図である。
【図４】中間板材と側板材との連結方法を示す正面図である。
【図５】図１のＡ−Ａ線に沿う断面図である。
【図６】図１のＢ−Ｂ線に沿う断面図である。
【図７】他の実施例の塞ぎ板が用いられた庇の側面図である。
【図８】従来の庇の斜視図である。
【発明を実施するための形態】
【００１４】
図１および図２は、この発明の一実施例である庇１の外観を示している。図示例の庇１は、建物の外壁面１０から前方へ張り出すように設置される庇板２と、建物の外壁面１０に固着され庇板２を前下がりの姿勢で庇板２の後端部を保持する保持具４と、庇板２の前端縁に沿って全幅にわたって装着される前縁板５とで構成されている。庇板２を構成する各中間板材３および各側板材３１，３２と前縁板５とはアルミニウムの押出成形により形成されている。なお、図２において、４８は保持具４の両側端面に装着される目隠し用の端板、８は前縁板５の後述する樋溝５１の両側の開口端面を塞ぐ塞ぎ板である。
【００１５】
庇板２は、図１および図３に示すように、側端面を互いに突き合わせるようにして幅方向へ連結される複数の中間板材３と、両側位置の中間板材３ａ，３ｂの外側端面に内側端面を突き合わせるようにして幅方向へ連結される側板材３１，３２とで構成されている。各中間板材３および各側板材３１，３２は、上下に対向する上板部２１と下板部２２との間が全長にわたって中空になっている。
【００１６】
各中間板材３の内部には、左右対称位置に２箇所づつ補強のためのリブ３３ａ，３３ｂが設けられている。また、内側のリブ３３ａには必要に応じて鉄板製の補強板（図示せず）を縦向きにして挿入することが可能な取付溝３４が長さ方向に沿って形成されている。前記補強板は、長さ方向の強度を保つためのもので、中間板材３の厚さおよび長さに応じた幅および長さのものが用いられる。なお、図３において、３８はリブ３３ａ，３３ｂに一体形成されたビス止め孔であり、後述する前縁板５を庇板２の前端面にビス止めするのに用いられる。
【００１７】
各中間板材３は、一方の側端部に第１の連結部６を、他方の側端部に第２の連結部７を、それぞれ有している。第１の連結部６と第２の連結部７とは側端面を突き合わせるように互いに連結することが可能である。
また、各側板材３１，３２のうち、一方の側板材３１は内側端部に第２の連結部７を有し、他方の側板材３２は内側端部に第１の連結部６を有している。中間板材３の第１の連結部６は他の中間板材３または側板材３１の第２の連結部７と互いに連結することが可能である。中間板材３の第２の連結部７は他の中間板材３または側板材３２の第１の連結部６と互いに連結することが可能である。
【００１８】
図４は、一側位置の中間板材３ａの第１の連結部６の構成と一方の側板材３１の第２の連結部７の構成とを示している。なお、中間板材３の第２の連結部７は上記の側板材３１の第２の連結部７と同様の構成のものであり、また、他方の側板材３１の第１の連結部６は上記の中間板材３の第１の連結部６と同様の構成のものであり、ここでは説明を省略する。
【００１９】
第１の連結部６は、上板部２１の側端縁を下方へ直角に折り曲げて形成された嵌合片６１と、嵌合片６１の下端部を斜め上方へ折り返して形成された係合片６２と、係合片６２の先端部を折り曲げて形成された当接部６３とを一連に備えたものである。
第２の連結部７は、下板部２２の側端縁を上方へ直角に折り曲げて形成された嵌合片７１と、嵌合片７１の上端部を斜め下方へ折り返して形成された係合片７２と、係合片７２の先端部を折り曲げて形成された当接部７３とを一連に備えたものである。
【００２０】
中間板材３ａの第１の連結部６と側板材３１の第２の連結部７とを連結するには、図４（１）に示すように、中間板材３ａと側板材３１とを上下にずらせかつ側縁部分を重ねた状態に位置決めした後、図４（２）に示すように、中間板材３ａを押し下げるか、側板材３１を押し上げるかして、第１の連結部６の嵌合片６１と第２の連結部７の嵌合片７１とを嵌合させると、図４（３）に示すように、双方の係合片６２，７２は先端の当接部６３，７３が突き当たった状態で係合する。なお、図４（３）に示す係合状態で中間板材３ａまたは側板材３１を上記と反対方向へ押圧すると、係合状態が外れて中間板材３ａと側板材３１とが分離する。
【００２１】
各側板材３１，３２の外側端部には、上面開口の樋溝部３５がそれぞれ全長にわたって形成されている。この樋溝部３５は、庇板２の両側より溢れ出た雨水を流入させて前縁板５の後述する樋溝５１まで導く。図示例の樋溝部３５は下板部２２の側端縁を上板部２１の位置まで上方へ直角に折り曲げて形成されているが、このような形状に限定されるものではない。
【００２２】
図５は、庇板２の後端部を全幅にわたって保持する保持具４の構成を示している。図示例の保持具４は、建物の外壁面１０に沿ってアンカーボルト１１０により止め固定される背板部４１と、背板部４１の前面のほぼ中央部に保持溝４０を挟んで上下に対向するように庇板２の全幅に対応する長さに一体形成される一対の保持板部４２，４３とを備えている。背板部４１および保持板部４２，４３はアルミニウムの押出成形により一体に形成されており、各保持板部４２，４３は庇板２が前下がりの姿勢となるようにやや下向きになっている。背板部４１には、上側の保持板部４２の上方位置と上下の保持板部４２，４３の間とに、アンカーボルト１１０が挿入されるボルト挿通孔４１ａがそれぞれ一定間隔毎に横一列に設けられている。
【００２３】
前記保持溝４０は、庇板２を構成する各中間板材３および各側板材３１，３２の後端部を前方より差し込むことが可能な溝幅を有し、前面が全長にわたって開放されている。上側の保持板部４２はわずかに上開きとなるように、また、下側の保持板部４３はわずかに下開きとなるように、それぞれ背板部４１の前面より突出しており、上下の保持板部４２，４３間の保持溝４０は、溝底から溝開口に向けて次第に広がった溝形状になっている。
【００２４】
保持具４は、庇板２の後端部を上方および下方より覆って後述するボルト４６Ａおよびナット４６Ｂなどが外部から見えないようにするための上カバー４４および下カバー４５を備えている。上カバー４４や下カバー４５はアルミニウムの押出型材である。なお、保持具４の両側端面は目隠し用の端板４８により塞がれている（図１および図２）。
【００２５】
上下の各保持板部４２，４３には、長さ方向に沿う複数の対向する位置に、各保持板部４２，４３を上下に貫通するボルト止め孔４２ａ，４３ａがそれぞれ形成されるとともに、庇板２を構成する各側板材３１，３２および各中間板材３の後端部であって保持板部４２，４３の各ボルト止め孔４２ａ，４３ａに対応する位置に、ボルト止め孔４２ａ，４３ａに連通するボルト通し孔３６，３７が各板材の上板部２１および下板部２２を貫通して形成されている。
【００２６】
前記のボルト４６Ａは、上側の保持板部４２の上方よりボルト止め孔４２ａへ挿入され、上側の保持板部４２のボルト止め孔４２ａ、側板材３１，３２または中間板材３のボルト通し孔３６，３７、および下側の保持板部４３のボルト止め孔４３ａを一連に貫通する。下側の保持板部４３の下方へ突出したボルト４６Ａの先端部にはナット４６Ｂがネジ込まれて締め付けられる。
【００２７】
各保持板部４２，４３は可撓性を有し、ボルト４６Ａおよびナット４６Ｂによる内向きの締付力が作用したとき、内側へわずかに撓んで弾性変形するようにその厚みや突出長さが設定されている。ナット４６Ｂを締め付けた状態のとき、上下の保持板部４２，４３は内側へわずかに撓んで弾性変形するもので、各保持板部４２，４３は庇板２を構成する側板材３１，３２や中間板材３の上板部２１および下板部２２にかなり広範囲にわたり接触して各板材を挟持する。
【００２８】
なお、図５において、１１１は上カバー４４の上端縁と建物の外壁面１０との間に庇板２の全幅にわたって嵌め込まれるコーキング材、１１２は上カバー４４の下端縁と庇板２の上面との間に庇板２の全幅にわたって嵌め込まれるコーキング材である。これらのコーキング材１１１，１１２によって雨水の浸入が阻止される。また、４７は前記端板４８，４９をビス止めするために上下の各カバー４４，４５に設けられたビス止め孔である。
【００２９】
図６は、庇板２の前端縁に沿って全幅にわたって装着される前縁板５を示している。この前縁板５は、全長にわたる上面開口の樋溝５１を有しており、樋溝５１の溝底５３上に庇板２の前端面にビス止めにより固定される支持板部５０が樋溝５１の全長にわたって突設されている。樋溝５１の溝底５３は支持板部５０より前側の前底部５４ａと支持板部５０より後側の後底部５４ｂとからなり、樋溝５１は支持板部５０によって前底部５４ａ上の前溝部５２ａと後底部５４ｂ上の後溝部５２ｂとに区分されている。
【００３０】
前溝部５２ａの上面の開口面は庇板２の上面の前端の下方に位置し、庇板２の上面を流下してきた雨水が前溝部５２ａに流れ込むようになっている。支持板部５０は、上端部の複数個所が庇板２の前端面にビス５７によりそれぞれ止め固定されている。各ビス５７は、支持板部５０に形成されたビス通し孔（図示せず）へ挿入され、庇板２を構成する各中間板材３および各側板材３１，３２に一体に形成されている前記のビス止め孔３８にネジ込まれる。
【００３１】
支持板部５０と庇板２の前端面との間には、各中間板材３および各側板材３１，３２の中空内部を流下してきた雨水と、両側板材３１，３２の樋溝部３５を流下してきた雨水とを流出させる隙間５５が形成されている。この隙間５５は後溝部５２ｂの上方に位置しており、中間板材３および側板材３１，３２の中空内部を流下してきた雨水と、側板材３１，３２の樋溝部３５を流下してきた雨水とが隙間５５から後溝部５２ｂに流れ込むようになっている。
【００３２】
前底部５４ａの前端部には上向きの前板部５８が、後底部５４ｂの後端部には上向きの後板部５９が、それぞれ溝底５３と一連に形成されている。後板部５９は、下方への出っ張りを目立たなくするために、後底部５４ｂに対して鈍角α（実施例ではα＝１４７度）に形成されている。後板部５９は上端縁が庇板２の下面に達する高さに形成されている。前板部５８は、前方への突き出しを目立たなくするために、前底部５４ａに対して直角に近い鈍角β（例えばβ＝１００度）に形成されている。前板部５８は上端縁が後板部５９の上端縁を越える高さに設定されている。
【００３３】
支持板部５０の下端部には前溝部５２ａと後溝部５２ｂとを連通させる複数個の連通孔５６が一定間隔毎に形成されている。前溝部５２ａに溜まる雨水と後溝部５２ｂに溜まる雨水とは、液面の高い方から低い方へ流れ込むもので、これにより樋溝５１からの溢水が抑えられている。前溝部５２ａおよび後溝部５２ｂより成る樋溝５１の両側端は塞ぎ板８により塞がれ、樋溝５１の前底部５４ａには前溝部５２ａと連通する竪樋１１が連設されている。
なお、この実施例の塞ぎ板８は、図２に示すように、樋溝５１に溜まった雨水が塞ぎ板８より溢れ出ないように樋溝５１の上面の開口面にまで達する高さのものを用いているが、図７に示すように、樋溝５１に溜まった雨水が過剰なときには両端部より溢れさせて放出し得るように高さの低い溢水部８１を設けてもよい。
【００３４】
また、この実施例では、側板材３１，３２の樋溝部３５は庇板２の前端において隙間５５を介して前縁板５の後溝部５２ｂと連通させているが、支持板部５０の両側端部を側板材３１，３２の樋溝部３５に相当する幅だけに切り欠いて樋溝部３５の前端を開放することもできる。
【００３５】
上記した構成の庇では、前縁板５の前溝部５２ａに相当する部分のみが庇板２の前端縁より突出し、後溝部５２ｂに相当する部分が庇板２の前端部の下面に位置するので、前縁板５が庇板２の前端縁より前方へ大きく突き出たり、下方へ大きく出っ張ったりするのが抑えられており、見栄えが低下することなく樋溝５１の容積が大きくなっている。
【００３６】
上記した構成の庇１において、庇板２の上面を流下してきた雨水は前端より前縁板５の樋溝５１の前溝部５２ａに流れ込み、中間板材３および側板材３１，３２の中空内部を流下してきた雨水は各板材の前端より前縁板５の樋溝５１の後溝部５２ｂに流れ込む。また、両側板材３１，３２の樋溝部３５に流れ込んだ雨水は樋溝部３５を流下し、前端より前縁板５の樋溝５１の後溝部５２ｂに流れ込む。
【００３７】
前溝部５２ａへの雨水の流入量は後溝部５２ｂへの雨水の流入量より多いが、前溝部５２ａと後溝部５２ｂとは連通孔５６により連通しているので、前溝部５２ａの水位と後溝部５２ｂの水位とが同じになるように、前溝部５２ａに溜まった雨水は連通孔５６より後溝部５２ｂへ流出し、その流出量だけ前溝部５２ａの液面が下がり、前溝部５２ａより雨水が溢れ出るのが抑えられる。
また、庇板２を構成する両側板材３１，３２の外側端部に樋溝部３５が設けられているので、庇板２の両側より溢れ出た雨水は樋溝部３５に流れ込み、庇板２の下面に雨水が回り込んで随所で滴下することもない。
【００３８】
なお、上記の実施例では、庇板２は複数本の中空の板材３，３１，３２を幅方向に連ねて構成されたものであるが、この発明に係る前縁板５は、そのような構造の庇板に限らず、一枚ものの庇板など、種々の庇板に用いることができることはいうまでもない。
また、上記の実施例では、樋溝５１を構成する前溝部５２ａと後溝部５２ｂとに雨水が流入するように構成されているが、いずれか一方（例えば前溝部５２ａ）にのみ雨水が流入するように構成してもよい。
【符号の説明】
【００３９】
１    庇
２    庇板
５    前縁板
８    端板
５０  支持板部
５１  樋溝
５２ａ  前溝部
５２ｂ  後溝部
５３  溝底
５４ａ  前底部
５４ｂ  後底部
５６  連通孔
【図１】
2015086572.tif 000003
【図２】
2015086572.tif 000004
【図３】
2015086572.tif 000005
【図４】
2015086572.tif 000006
【図５】
2015086572.tif 000007
【図６】
2015086572.tif 000008
【図７】
2015086572.tif 000009
【図８】
2015086572.tif 000010